(57)【要約】【課題】回収できないカートリッジがあっても他の回収カートリッジで情報を得ることができ、ユーザ側の回収確度に拘わらず情報収集ができる画像形成装置を提供する。【解決手段】例えばイエローのカートリッジ１５の記録材の残量なしと判断された場合、制御手段１０は他のカートリッジ１６、１７、１８のＥＥＰＲＯＭからその情報を読み込み、読み込んだ情報を回収対象となったカートリッジ１５のＥＥＰＲＯＭに書き込む。全てのカートリッジにおいてこのような読み込み、書き込み制御が行われる。【選択図】    図２
2006187984.tif 000002
【特許請求の範囲】
【請求項１】
画像形成装置本体に着脱可能なカートリッジを用い、入力されたデータを前記カートリッジから供給される記録材によって記録媒体に対して記録を行う画像形成装置において、
前記カートリッジは読み込み及び書き込み可能な記憶手段を備え、前記画像形成装置本体に装着された複数のカートリッジのうち、何れか１つ以上のカートリッジの前記記憶手段から情報を読み込み、該読み込み情報を別のカートリッジの記憶手段に書き込む手段を備えていることを特徴とする画像形成装置。
【請求項２】
請求項１記載の画像形成装置において、
前記カートリッジの記憶手段から読み込む情報は、記録材の種類であることを特徴とする画像形成装置。
【請求項３】
請求項１記載の画像形成装置において、
前記カートリッジの記憶手段から読み込む情報は、カートリッジから消費した記録材の量に関する情報であることを特徴とする画像形成装置。
【請求項４】
請求項１記載の画像形成装置において、
前記カートリッジの記憶手段から読み込む情報は、カートリッジ内の記録材の量に関する情報であることを特徴とする画像形成装置。
【請求項５】
請求項１記載の画像形成装置において、
前記カートリッジの記憶手段から読み込む情報は、カートリッジの装着時期に関する情報であることを特徴とする画像形成装置。
【請求項６】
請求項１乃至５のうちの何れかに記載の画像形成装置において、
前記カートリッジの記憶手段から情報を読み込み、別のカートリッジの記憶手段に書き込むタイミングは、情報を書き込まれる側のカートリッジ内の記録材の残量が所定量以下もしくは無くなったと判断されたときであることを特徴とする画像形成装置。
【発明の詳細な説明】
【技術分野】
【０００１】
本発明は、複写機、プリンタ、ファクシミリ、プロッタ等の画像形成装置に関し、詳しくは、画像形成装置本体に着脱可能なカートリッジを用い、入力されたデータを前記カートリッジから供給される記録材によって記録媒体に対して記録を行う方式の画像形成装置に関する。
【背景技術】
【０００２】
開発メーカーにとって、各ユーザにおいて画像形成装置がどのような使い方をされているのかを把握することは、ユーザの多様なニーズを的確に掴む上で非常に重要である。
トナー等の記録材を収容したカートリッジは記録材が消費された後、交換され、リサイクルされるようになっている。
この点に着目し、特開平１１−２１９０７７号公報には、記憶手段を有するカートリッジに画像形成装置の履歴情報を記録し、回収したカートリッジ経由で画像形成装置の使用履歴情報を取得する技術が開示されている。
【０００３】
【特許文献１】特開平１１−２１９０７７号公報
【特許文献２】特開平８−１７４８６３号公報
【発明の開示】
【発明が解決しようとする課題】
【０００４】
フルカラー画像形成装置や多色画像形成装置、インクジェットプリンタ等では、記録材の種類に応じて複数のカートリッジが装着されており、画像形成装置の使われ方によっては、なかなか空とならないカートリッジも存在する。また、ユーザが必ずしもカートリッジの回収に協力してくれるとも限らない。
このため、ある種のカートリッジは頻繁に回収され、カートリッジを経由した情報収集ができるが、ある種類のカートリッジはなかなか回収できず、情報収集ができないという状況が発生していた。
このような問題は、従来において、カートリッジ自体が確実に回収されることを前提としているために起こる、ということができる。
【０００５】
本発明は、回収できないカートリッジがあっても他の回収カートリッジで情報を得ることができ、ユーザ側の回収確度に拘わらず情報収集ができる画像形成装置の提供を、その目的とする。
【課題を解決するための手段】
【０００６】
上記目的を達成するために、請求項１記載の発明では、画像形成装置本体に着脱可能なカートリッジを用い、入力されたデータを前記カートリッジから供給される記録材によって記録媒体に対して記録を行う画像形成装置において、前記カートリッジは読み込み及び書き込み可能な記憶手段を備え、前記画像形成装置本体に装着された複数のカートリッジのうち、何れか１つ以上のカートリッジの前記記憶手段から情報を読み込み、該読み込み情報を別のカートリッジの記憶手段に書き込む手段を備えていることを特徴とする。
【０００７】
請求項２記載の発明では、請求項１記載の画像形成装置において、前記カートリッジの記憶手段から読み込む情報は、記録材の種類であることを特徴とする。
【０００８】
請求項３記載の発明では、請求項１記載の画像形成装置において、前記カートリッジの記憶手段から読み込む情報は、カートリッジから消費した記録材の量に関する情報であることを特徴とする。
【０００９】
請求項４記載の発明では、請求項１記載の画像形成装置において、前記カートリッジの記憶手段から読み込む情報は、カートリッジ内の記録材の量に関する情報であることを特徴とする。
【００１０】
請求項５記載の発明では、請求項１記載の画像形成装置において、前記カートリッジの記憶手段から読み込む情報は、カートリッジの装着時期に関する情報であることを特徴とする。
【００１１】
請求項６記載の発明では、請求項１乃至５のうちの何れかに記載の画像形成装置において、前記カートリッジの記憶手段から情報を読み込み、別のカートリッジの記憶手段に書き込むタイミングは、情報を書き込まれる側のカートリッジ内の記録材の残量が所定量以下もしくは無くなったと判断されたときであることを特徴とする。
【発明の効果】
【００１２】
請求項１記載の発明によれば、画像形成装置本体に着脱可能なカートリッジを用い、入力されたデータを前記カートリッジから供給される記録材によって記録媒体に対して記録を行う画像形成装置において、前記カートリッジは読み込み及び書き込み可能な記憶手段を備え、前記画像形成装置本体に装着された複数のカートリッジのうち、何れか１つ以上のカートリッジの前記記憶手段から情報を読み込み、該読み込み情報を別のカートリッジの記憶手段に書き込む手段を備えていることとしたので、装着されている他のカートリッジ情報も記録されるため、１つのカートリッジで他のカートリッジの情報も収集することが可能となる。
すなわち、回収できないカートリッジの情報も回収されたカートリッジにより確実に収集することができる。
これにより、ユーザのカートリッジ使用状況等を把握でき、商品開発や営業方針等を決定する上での参考情報としての利用価値を高めることができる。
【００１３】
請求項２記載の発明によれば、請求項１記載の画像形成装置において、前記カートリッジの記憶手段から読み込む情報は、記録材の種類であることとしたので、カートリッジを回収した際には、装着されている他のカートリッジの記録材の種類が特定できる。
【００１４】
請求項３記載の発明によれば、請求項１記載の画像形成装置において、前記カートリッジの記憶手段から読み込む情報は、カートリッジから消費した記録材の量に関する情報であることとしたので、いずれかのカートリッジを回収した際には、装着されている他のカートリッジの記録材の消費量が特定できる。
【００１５】
請求項４記載の発明によれば、請求項１記載の画像形成装置において、前記カートリッジの記憶手段から読み込む情報は、カートリッジ内の記録材の量に関する情報であることとしたので、いずれかのカートリッジを回収した際には、装着されている他のカートリッジの記録材の残量が特定できる。
【００１６】
請求項５記載の発明によれば、請求項１記載の画像形成装置において、前記カートリッジの記憶手段から読み込む情報は、カートリッジの装着時期に関する情報であることとしたので、いずれかのカートリッジを回収した際には、装着されている他のカートリッジの装着時期が特定できる。
【００１７】
請求項６記載の発明によれば、請求項１乃至５のうちの何れかに記載の画像形成装置において、前記カートリッジの記憶手段から情報を読み込み、別のカートリッジの記憶手段に書き込むタイミングは、情報を書き込まれる側のカートリッジ内の記録材の残量が所定量以下もしくは無くなったと判断されたときであることとしたので、記録される情報をより新しいものとすることができ、極力最新情報を収集することが可能となる。
【発明を実施するための最良の形態】
【００１８】
以下、本発明の一実施形態を図１乃至図３に基づいて説明する。
まず、図１に基づいて、画像形成装置としてのインクジェットプリンタ１の構成の概要を説明する。インクジェットプリンタ１は、インクをヘッドに供給可能に搭載した図示しないキャリッジを、シート状記録媒体としの記録用紙の搬送方向に対して垂直に交差する方向に走査させて記録を行う。
プリンタ本体２の前面側には、給紙トレイ３、排紙トレイ４が積層状態に設けられている。また、給紙トレイ３の右側には側板５等より構成される収納部６が形成されており、該収納部６には複数の（ここでは、４つ）のカートリッジが着脱自在に装着されている。
【００１９】
これらのカートリッジは、イエロー（Ｙ）用のカートリッジ１５と、マゼンタ（Ｍ）用のカートリッジ１６と、シアン（Ｃ）用のカートリッジ１７と、ブラック（Ｂｋ）用のカートリッジ１８からなる。これらのカートリッジによりそれぞれの色のインク供給が行われる。
収納部６の前面側は、各カートリッジを交換するために前面カバー７により開閉できるようになっている。図１では前面カバー７を開放した状態を示している。
収納部６の上面には操作パネル８が設けられている。符号９は、上カバーを示す。給紙トレイ３から給紙された記録紙は内部で反転されて印刷され、フェイスアップ方式で排紙トレイ４に排出される。
【００２０】
インクジェットプリンタ１の印刷動作は、図２に示す制御手段１０によって制御される。制御手段１０は、ＣＰＵ１１と、ＲＯＭ１２と、ＲＡＭ１３と、（外部メモリアクセス手段、センサ入力手段）としてのＩ／Ｏインターフェース１４等を備えたマイクロコンピュータである。各カートリッジ１５、１６、１７、１８には読み書き可能なＥＥＰＲＯＭ１５ａ、１６ａ、１７ａ、１８ａが備えられている。
また、各カートリッジにはインク検出センサが備えられており、その検出情報はそれぞれ制御手段１０に出力される。インク検出センサは、本体特定部位、例えば図示しないヘッド上部に搭載されたインクタンクに備えられており、電極センサがインクに浸かった際の抵抗でインクの有無を検出するようになっている。
所定時間、あるカートリッジからのインク供給動作を実行したにも拘わらず、該カートリッジに対応するインク検出センサによりインクが検出されなかった場合、制御手段１０は該カートリッジについてインク残量なしと判断する。
【００２１】
プリンタ本体２には、図示しない計時手段が設けられており、カートリッジを装着した場合、装着時の日時がそのカートリッジのＥＥＰＲＯＭに記憶される。
制御手段１０は、図示しないヘッドからのインク吐出量を累積計算し、カートリッジ内のインクの残量及びインク消費量を算出する。算出結果は対応するカートリッジのＥＥＰＲＯＭに記憶される。
各カートリッジ１５、１６、１７、１８のＥＥＰＲＯＭ１５ａ、１６ａ、１７ａ、１８ａには、カートリッジ製造時にカートリッジ内のインク種類が記憶されている。
各カートリッジのＥＥＰＲＯＭは、色毎に定められた所定の番地にマップされている領域をＣＰＵ１１からアクセスできるようになっている。
【００２２】
カートリッジにインク残量なしと判断した際に、該カートリッジのＥＥＰＲＯＭに情報書き込みを行う制御動作を、図３のフローチャートに基づいて説明する。
あるカートリッジのインク残量なしが検出された場合（Ｓ１）、制御手段１０（厳密にはＣＰＵ１１）はそのカートリッジを書き込み色と決定する（Ｓ２）。すなわち、情報を書き込む対象カートリッジと決定し、そのカートリッジのＥＥＰＲＯＭに情報を書き込むことになる。
次に、書き込み色を更新（決定）する（Ｓ３）。すなわち、情報を読み込むべきカートリッジを決定する。本実施形態では、この更新処理を実行する度に、シアン、マゼンタ、ブラック、イエローの順番で更新されるようになっている。
【００２３】
次に、制御手段１０は読み込み色と書き込み色が同じかどうかを判断し（Ｓ４）、同じであった場合には、読み込み、書き込み処理はスキップする。
読み込み色と書き込み色が異なる場合には、読み込み色のカートリッジのＥＥＰＲＯＭのアドレスを算出し（Ｓ５）、アクセスしてその情報（インク種類、装着時刻、インク残量、インク消費量、その他のプリンタの使用履歴情報等（オプション機器との接続態様を含む））を読み込み、ＲＡＭ１３に記憶する（Ｓ６）。読み込み色のカートリッジのＥＥＰＲＯＭのアドレスは、予め定められてＲＯＭ１２に記憶されている。
次に、書き込み色のカートリッジのＥＥＰＲＯＭのアドレスを算出し（Ｓ７）、アクセスして上記ＲＡＭ１３に記憶した読み込み情報を該ＥＥＰＲＯＭに記憶する（Ｓ８）。書き込み色のカートリッジのＥＥＰＲＯＭのアドレスは、予め定められてＲＯＭ１２に記憶されている。
次に、書き込み以外の全ての色に関して、情報の読み込み、書き込みが完了したかどうかを判断し（Ｓ９）、完了したら終了となる。
【００２４】
上記のように、交換され得る状態となったカートリッジの記憶手段に他のカートリッジ又は画像形成装置の情報を書き込むようにすれば、回収されたいずれかのカートリッジの持つ情報に基づいて使用状況を把握することができるので、ユーザのカートリッジのリサイクルに対する姿勢に拘わらず、確実に情報を収集することができる。
【００２５】
上記実施形態では、インクジェットプリンタを例示したが、記録材をトナーとするフルカラー画像形成装置、多色画像形成装置においても同様に実施することができる。
【図面の簡単な説明】
【００２６】
【図１】本発明の一実施形態における画像形成装置としてのインクジェットプリンタの概要斜視図である。
【図２】制御ブロック図である。
【図３】制御動作を示すフローチャートである。
【符号の説明】
【００２７】
２  画像形成装置本体としてのプリンタ本体
１５、１６、１７、１８  カートリッジ
１５ａ、１６ａ、１７ａ、１８ａ  記憶手段としてのＥＥＰＲＯＭ
【図１】
2006187984.tif 000003
【図２】
2006187984.tif 000004
【図３】
2006187984.tif 000005